(57)【要約】      （修正有）【課題】複数プロジェクターに基づいて体積３Ｄディスプレイの解像度を増進すること。【解決手段】複数のグループにＳＬＭのピクセルを分け、サブパネルと各グループを定義。イメージデータのフレームは固定順序で各サブパネルに順序にそれから書かれる。サブパネルに書かれているイメージフレームはサブパネルに表示されたとき「サブフレーム」と定義し、１のサブパネルの１つのサブフレームを一度に表示し、残りのサブパネルのブランク（黒）を保つ。ＳＬＭが記憶バッファを備えていなければおよびイメージがそれが書かれているとき表示されれば、ＳＬＭのすべてのデータはサブパネルが表示された後、そして次のサブパネルが書かれている前に消されなければならない。ＳＬＭが記憶バッファをおよび記憶バッファのデータを表示する別の命令備えていれば、次のサブパネルが書かれ、表示するために用意する後前のサブパネルのデータを消してもよい。【選択図】図３
2007188028.tif 000002
【特許請求の範囲】
【請求項１】
実際の空間の体積３Ｄイメージをプロジェクターシステムに基づいて体積３Ｄディスプレイによって表示する方法であって、前記プロジェクターシステムはイメージの源として空間的な光変調器（ＳＬＭ）を含んでいる、前記方法は、
（１）一組の体積３Ｄイメージを形作るために表示されるべきイメージデータのフレームを提供するステップ、
（２）前記ＳＬＭのピクセルを数のグループに分け、各グループをサブパネルと定義するステップ、
（３）サブパネルのイメージを投影し、それらを１つのイメージフレームに組み変え、そして重ねるステップ、
（４）前記イメージデータのフレームを固定順序で各サブパネルに順序に書き、データを１つのサブパネル一度に残りのサブパネルのブランクか黒を保っている間表示するステップであって、サブパネルに表示されるイメージデータの各フレームをサブフレームと定義する前記ステップ、
（５）前記サブフレームを彼らの表示された順序に投影し、各サブフレームを実際の空間の異なった、前もって決定された位置で体積３Ｄディスプレイを使用して表示するステップ
、を含む前記方法。
【請求項２】
前記ライトおよび表示データのステップが１つのサブパネルへライトデータの後にそして次のサブパネルへライトデータの前にＳＬＭのすべてのデータを消すことのステップが含まれている請求項１記載の方法。
【請求項３】
前記ＳＬＭが記憶バッファ含まれ、前記記憶バッファがＳＬＭに書かれているイメージデータを保つ、別のコマンドがＳＬＭの貯えられたイメージデータの表示を始め、
前記ライトおよび表示データのステップが、
（ｉ）前記イメージデータのフレームを固定順序で各サブパネルの記憶バッファに順序に書くステップ、
（ｉｉ）サブパネルに表示されるデータを次のサブパネルのデータを表示する前に消すステップ、
を含む請求項１記載の方法。
【請求項４】
前記ＳＬＭが次の特徴を含み：
ａ．データライトがＳＬＭの最上の列でだけまたは最下の列に始まる、一度に１列である、
ｂ．データライトが不変にとどまる現在の列の位置と休止でき、休止する前に最後の列の位置から再開できる、
前記サブパネルの定義のステップが上で第１のサブパネル、中間の第２サブパネルおよび底で第３サブパネルを持つ３つのサブパネルを定義し、
前記一度に１つのサブパネルの表示のステップが、
（ａ）前記ＳＬＭのすべてのデータを消すステップ、
（ｂ）データを前記第１サブパネルの記憶バッファに書いたりそしてデータ．ライトを休止するステップ、
（ｃ）第１のサブパネルのデータを表示するステップ、
（ｄ）データ．ライトを第２サブパネルの記憶バッファに再開し、そしてデータ．ライトを休止し、そして次に第１サブパネルに表示されるデータを消すステップ、
（ｃ）第２のサブパネルのデータを表示するステップ、
（ｆ）データ．ライトを第３サブパネルの記憶バッファに再開し、そしてデータ．ライトを休止し、そして次に第２サブパネルに表示されるデータを消すステップ、
（ｇ）第３のサブパネルのデータを表示するステップ、
（ｈ）ステップ（ａ）から繰り返すことステップ、
を含む請求項３記載の方法。
【請求項５】
前記プロジェクターシステムはイメージの源として少なくとも１つの付加的なＳＬＭを更に含み、
（１）少なくとも１つの付加的な組のイメージデータのフレームを提供するステップ、
（２）前記付加的なＳＬＭのピクセルを数のグループに分け、各グループをサブパネルと定義するステップ、
（３）プロジェクターシステムのすべてのＳＬＭのサブパネルのイメージを投影し、それらを１つのイメージフレームに組み変え、そして重ねるステップ、
（４）前記付加的な組のイメージデータのフレームを固定順序で前記付加的なＳＬＭの各サブパネルに順序に書き、データを１つのサブパネル一度に残りのサブパネルのブランクか黒を保っている間表示するステップであって、サブパネルに表示されるイメージデータのフレームを付加的な組のサブフレームと定義する前記ステップ、
（５）前記付加的な組のサブフレームを投影し、付加的な組と元の組のサブフレームを一組の重ねられたサブフレームに結合するステップであって、各々の重ねられたサブフレームが別のＳＬＭから来るサブフレームを含んでいる前記ステップ、
さらに含む請求項１記載の方法。
【請求項６】
前記プロジェクターシステムがイメージの源として３つのＳＬＭを含み、各ＳＬＭがＲサブパネル、ＧサブパネルおよびＢサブパネルを備え、
前記Ｒサブパネルが紅光によって照らされ、前記Ｇサブパネルが緑光によって照らされ、前記Ｂサブパネルが青光によって照らされ、
前記ＲサブパネルがＲサブフレームを表示し、前記ＧサブパネルがＧサブフレームを表示し、前記ＢサブパネルがＢサブフレームを表示し、
各々の前記重ねられたサブフレームがＲサブフレーム、ＧサブフレームおよびＢサブフレームを含んでいる
請求項５記載の方法。
【請求項７】
前記プロジェクターシステムがイメージの源として３つのＳＬＭを含み、各ＳＬＭが別の原色の光によって照らされる請求項５記載の方法。
【請求項８】
（ｉ）サブフレームを２つのサブフレーム．イメージに裂くステップ、
（ｉｉ）１の前記サブフレーム．イメージの１つの半分および他の前記サブフレーム．イメージの１の半分を一緒にアスペクトレシオを調節するためにステッチするステップ、
さらに含む請求項１記載の方法。
2007188028.tif 000003
2007188028.tif 000004
2007188028.tif 000005
2007188028.tif 000006
2007188028.tif 000007
2007188028.tif 000008
2007188028.tif 000009
2007188028.tif 000010
2007188028.tif 000011
2007188028.tif 000012
2007188028.tif 000013
2007188028.tif 000014
2007188028.tif 000015
2007188028.tif 000016
【発明の詳細な説明】
【０００１】      本発明は本出願人に次の特許および出願に関連している：
米国特許５，７５４，１４７、
米国特許５，９５４，４１４、
米国特許６，３０２，５４２Ｂ１、
米国特許６，７６５，５６６Ｂ１、
米国特許６，９６１，０４５Ｂ１、
米国特許出願公開２００５−０２８０６０５−Ａ１、
日本特許出願３６１０９０／９９（國内特許出願通知２０００／２０１３６２）、
日本特許出願２００１／３１８１８９（國内特許出願通知２００２／２６８１３６）、
日本特許出願２００２／１７５３７９（國内特許出願通知２００３／１０７３９９）、
出願人は上記の文書を本件に引用文献として取り入れている。
【技術分野】
【０００２】      本発明は体積３Ｄディスプレイの分野に一般に関連している。とりわけ、イメージの源としてプロジェクターを使用するそれは体積３Ｄディスプレイの解像度を高めるデータ．ライト方法に関連している。
【背景技術】
【０００３】      体積３Ｄディスプレイの多くの異なったアプローチがずっとある。１つの部門は移動スクリーンを使用し、スクリーンに２Ｄイメージを投影する。例えば、Ｔｓａｏ日本特許出願通知２００２／２６８１３６（図２ａ、４ａ−４ｄ、５ｂ）は「回転式往復運動の」スクリーンおよび光学プロジェクターが付いているシステムを記述する。これはまたＴｓａｏ米国特許６，７６５，５６６（図２０）およびＴｓａｏ米国特許６，３０２，５４２（図２ａ、４ａ−４ｂおよび５ｂ）で記述されている。別の例のために、Ｔｓａｏ米国特許６，７６５，５６６（図１４−１５）は（また日本特許出願通知２０００／２０１３６２で）回転スクリーンに基づいてシステムを記述する。他の例は下記のものを含んでいる：Ｓｈｉｍａｄａ米国特許５，５３７，２５１、そしてＤｏｒｖａｌ他米国特許６，５５４，４３０。【０００４】      まだ別の部門は電気で切替可能なスクリーン（通常液晶）および光学プロジェクターの積み重ねを使用する。例はＳｕｌｌｉｖａｎ米国特許６，１００，８６２およびＳａｄｏｖｎｉｋ及びＲｉｚｋｉｎ米国特許５，７６４，３１７が含まれている。【０００５】      まだ別の部門は「蛍光性の段階的な刺激」（または一般に呼ばれた「２−ｓｔａｇｅ刺激」）の特性を持っている材料の体積を使用する。例は等Ｋｏｒｅｖａａｒ米国特許４，８８１，０６８およびＤｏｗｎｉｎｇ他、Ｓｃｉｅｎｃｅ、１９９６年８月３０日、Ｖｏｌ．２７３、ｐ．１１８５含まれている。【０００６】      出願人は上記の文書を本件に引用文献として取り入れている。【０００７】      プロジェクションに基づいて多くの体積３Ｄディスプレイではプロジェクターの好まれたイメージの源はＤＭＤ（Ｄｉｇｉｔａｌ  Ｍｉｃｒｏｍｉｒｒｏｒ  Ｄｅｖｉｃｅ）またはＦＬＣＤ（Ｆｅｒｒｏｅｌｅｃｔｒｉｃ液晶表示装置）である。これらは白黒ピクセルの装置である。彼らはＳＬＭ（ｓｐａｔｉａｌ  ｌｉｇｈｔ  ｍｏｄｕｌａｔｏｒ空間的な光変調器）と一般に呼ばれる。色を作成するためには、私逹は３つのＤＭＤまたはＦＬＣＤのパネル、別の原色の光によって照らされる各パネルを使用してもいい。代わりに、Ｔｓａｏ米国特許６，９６１，０４５は（また國内特許出願通知２００３／１０７３９９で）色を発生させるのに単一のパネルを使用する方法を記述する。単一のパネルは３つのサブパネルに分けられ、各サブパネルは別の原色のライトによって照らされる。３つのサブパネルのイメージはプロジェクショソの１つにそれから組み変えられる。【０００８】      一般に、スクリーンの動きの方にＳＬＭ基づかせていた体積３Ｄディスプレイの解像度はＳＬＭのフレーム率によって限られる。但しＳＬＭのピクセルをスクリーンの動きの方に再分配し、ＳＬＭの有効なフレーム率を高めるために、「サブフレーム方法」は適用することができる。Ｔｓａｏ米国特許６，７６５，５６６と６，９６１，０４５（また國内特許出願通知２０００／２０１３６２と２００３／１０７３９９で）は方法の変化を記述する。方法は時間領域の３つのサブフフレームに１台のプロジェクターから第一に投影された色のイメージフレームを分ける。各サブフフレームに別の原色がある。方法は照明の源でま���は映写レンズの後で色の切換えの手段を色を調整する使用する。そして、３台のそのようなプロジェクターからの投影されたイメージは方法でいつでも重ねられたイメージフレームが３つのサブフレームを含み、３つのサブフレームの各自に別のプロジェクターから来、別の原色があることそのような物重ねられる。その結果、ディスプレイ体積のフレームの有効な数は３倍を増加する。
【発明の開示】
【発明が解決しようとする課題】
【０００９】      本発明は付加的な色の切換えの手段の必要性か照明の源の調節なしで「サブフレーム方法」の目的を達成するためにＳＬＭへデータ．ライトのプロシージャを記述する。目的はプロジェクターに基づいて体積３Ｄディスプレイの解像度を増進することである。
【課題を解決するための手段】
【００１０】      本発明は次の最低の条件を満たす操作上特徴が付いているＳＬＭシステムを要求する：
（１）データは１つの小さい「単位」にＳＬＭに一度に書くことができる。例えば、単位は列またはワードのどれである場合もある。「ワード」は列の部分と、例のための３２か６４のピクセルのような、定義される。単位はまたＳＬＭの作用面積の少数の列かブロックから成ることができる。一般に、単位はサブパネルより小さい。【００１１】      （２）データ．ライトの間に、現在書かれている単位の位置は常に知っていることができる。
（３）データ．ライトを始めるためには、初めの位置および初めの方向は選ぶことができる。初めの位置は書かれているべき最初のセクションを指す。初めの方向はライトの方向を示す。例のために、ライト方向は下の次の列に（または上の）、または左の次のワードに（または右の）ある。【００１２】      （４）データ．ライトが停止するとき、現在の位置の旗（ｆｌａｇ）は最後の位置にとどまる。データ．ライトが再始動するとき、ライトは最後の位置から続く。この条件はライトの初めの位置が（条件（３）で）任意に選ぶことができれば必要でない。
（５）ＳＬＭの上のデータの全体または一部は既に速い操作で消すことができる。この「速い操作」は既存のデータの位置にライト「０」ビットより速く意味する。ライトの初めの位置が（条件（３）で）任意に選ぶことができればこの条件は好まれているが必要でない。【００１３】      照明調節のないＳＬＭのサブパネルからのサブフレームの投影による体積３Ｄイメージを表示する方法は次の主要なステップが含まれている：
（１）一組の体積３Ｄイメージを形作るために表示されるべきイメージフレームデータを提供しなさい。
（２）ＳＬＭのピクセルを複数のグループに分け、サブパネルと各グループを定義しなさい。
（３）サブパネルのイメージを投影し、１つのフレームに組み変え、そして重ねなさい。
（４）表示されるべき各イメージフレームのデータを固定順序に各のサブパネルに書く。サブパネルに書かれているイメージフレームはサブパネルに表示されたとき「サブフレーム」と呼ばれる。
（５）いつでも、１のサブパネルの１つのサブフレームだけ表示し、残りのサブパネルのブランク（黒）を表示しなさい。ＳＬＭが記憶バッファを備えていなければおよびイメージがそれが書かれているとき表示されれば、ＳＬＭのすべてのデータはサブパネルが表示された後、そして次のサブパネルが書かれている前に消されなければならない。ＳＬＭが記憶バッファを備えていればおよびバッファのデータの表示が別の命令を要求すれば、私逹は次のサブパネルが表示して準備ができている書かれ後、前のサブパネルのデータを消してもいい。
（６）順序にサブフレームを投影し、空間にサブフレームを配りなさい。【００１４】      ＳＬＭのサブパネルが同じ色の光によって照らされれば、生じられたサブフレームはすべて単色的である。色の体積３Ｄイメージを表示するためには、３のＳＬＭｓかこのタイプの３台のプロジェクターは使用される。各ＳＬＭは別の原色と照らされる。３のＳＬＭｓから投影されるサブフレームは一組の重ねられたサブフレームに重ねられる。各々の重ねられたサブフレームに３つのサブフレームがあり、各のサブフレームは別の原色によって照らされる別のＳＬＭから来る。【００１５】      同じＳＬＭの各サブパネルがそれぞれ別の原色の光によって照らされれば、生じられたサブフレームは繰り返すことの３色の順序（ＲＧＢＲＧＢ．．．ような）に投影される。色の体積３Ｄイメージを表示するためには、３のＳＬＭｓかこのタイプの３台のプロジェクターは使用される。３のＳＬＭｓから投影されるサブフレームは一組の重ねられたサブフレームに重ねられる。各々の重ねられたサブフレームに３つのサブフレームが、別のＳＬＭからのそれぞれある。各ＳＬＭからのプロジェクショソに他のＳＬＭｓに関して時差があるためになされる。時差のために、重ねられたサブフレームの各サブフレームに別の原色がある。
【発明を実施するための最良の形態】
【００１６】      図１［Ａ］１つの単一の表示パネル１０１（すなわち１つのＳＬＭ）の３つのサブパネルの定義の例を説明する。この場合、各サブパネルは別のおよび隔離された地域で定義され、別の原色の光によって照らされる（Ｒ（紅）かＧ（緑）またはＢ（青））。異なった原色によって照らされるべきでないなら、図１［Ｂ］私逹が数によってサブパネルを識別する一般化された場合を示す。サブフレーム方法のためのより高いフレーム率（か高いサブフレーム率を）得るステップは下記のものを含んでいる：
（１）データをサブパネル１に書き、残りのサブパネルをブランク（または、光学的に黒くしなさい）に保ちなさい。
（２）ディスプレイおよびサブパネル１ショーだけ。
（３）すぐにサブパネル１を消しなさい（ブランクに）。サブパネル２に書き、残りのサブパネルをブランクに保ちなさい。
（４）ディスプレイおよびサブパネル２ショーだけ。
（５）すぐにサブパネル２を消しなさい（ブランクに）。サブパネル３に書き、残りのサブパネルをブランクに保ちなさい。
（６）ディスプレイおよびサブパネル３ショーだけ。
（７）すぐにサブパネル３を消しなさい。繰り返し。【００１７】      このように、書かれていたサブパネルだけ示されている。私逹が示したいと思わないサブパネルは黒いようである。従って私達はほしいと思うサブパネルのイメージをろ過するために、付加的な色の切換えかろ過の光学は必要でない。高く有効なフレーム率を、ステップ（３）、（５）および（７）の消去操作は逹成するため速くなければならない。上記のプロシージャはＳＬＭがフレーム・バッファを備えているかどうか適用する。ＳＬＭが記憶バッファを備えていなければイメージはそれが書かれているとき表示される。ＳＬＭが記憶バッファを備えていればおよび書かれているデータにＳＬＭを更新することは別のコマンドを要求すれば、ステップ（３）、（５）および（７）の消去操作は次のパネルが書かれていた後行うことができる。【００１８】      私逹は例としてこのプロシージャを説明するのに商業用ＳＬＭシステム（ＤＬＰＤｉｓｃｏｖｅｒｙ  １１００  ＤＭＤ  ｓｙｓｔｅｍ  ｏｆ  Ｔｅｘａｓ  Ｉｎｓｔｒｕｍｅｎｔｓ）を使用する。このＳＬＭシステムに次の特徴がある：
（１）データは１つの小さい「単位」にＳＬＭに一度に書くことができる。１単位はＳＬＭの１の列である。
（２）データ．ライトの間に、現在書かれている単位の位置は常に知っていることができる。
（３）データ．ライトを始め、私達は最上の列または最下の列から始めるために選んでもいい。私逹はまたライト方向を選んでもいい：ＳＬＭの上行またはの下行で。
（４）データ．ライトが休止するとき、現在の位置の旗（ｆｌａｇ）は最後の位置にとどまる。データ．ライトが再始動するとき、ライトは最後の位置から続く。
（５）ＳＬＭの上のデータの全体または一部は既に速い操作で消すことができる。
出願人は上記システムの操作解説書を本件に引用文献として取り入れている。【００１９】      図２は制御命令（コマンド、２０１）の詳しい波形および１完全フレームの持続期間（すなわち３つのサブフレームの持続期間、２０３ａ、２０３ｂ、２０３ｃ）内の操作のステップ２０２を示す。図２の記述は英語で指令コードが英語にあるので保たれる。Ｄｉｓｃｏｖｅｒｙ  １１００のシステムの制御機能のために、詳しい操作順序は前に記述されているステップとわずかに異なっている。但し、一般的なアプローチは同じである。例えば、指数ｆｓ＃ｉ−２のサブフレームに、私逹はＧサブパネルを第一に書き、次にＲサブパネルを消す。これは頂のラインか底のラインに以外Ｄｉｓｃｏｖｅｒｙ１１００が跳ぶライン（列）のアドレス可能にしないのである。Ｇサブパネルはラインアドレス続くようにＲサブパネルがされた後直接書かれている。同じ理由のために、Ｂサブパネルのデータ．ライトはＳＬＭの底から始まる。図１［Ｃ］考えを説明する。ＤＭＤシステムにフレーム・バッファ・メモリがある。データは記憶バッファに書かれている。別の命令″ＲＥＳＥＴ″はバッファのデータを光学的に表示する。【００２０】      図３は図２の簡単だった表示である。それは別のタイミングでＤＭＤのフレーム・バッファ・メモリの内容、ＤＭＤ制御の状態およびＤＭＤの光学出力を示す。″ｃｌｒ″のブロックは「記憶を消しなさい」命令に対応する。″ＲＥＳＥＴ″のブロックは表示命令に対応する。記号″ｆｓ＃ｉ−１″「フレーム＃ｉのサブフレーム１」をは表す。光学出力はフレーム・バッファ・メモリ１つのサブフレームによって遅れる。新しいサブフレームが″ＲＥＳＥＴ″の期間の間に古いサブフレームを取り替えるとき、２つのサブフレーム間に過渡期３０１がある。過渡期はライトの期間と比較して短い。従って、いつでも、１つのサブパネルだけ非空白のイメージがある。各サブフレームは期間を完全なフレームの表示の１／３ｘ期間よりわずかに長く過す。サブフレームは照明調節の必要性なしでこうして分かれている。Ｒが、ＧおよびＢが図２および図３でサブパネルを示すのに使用されが、１、２および３を使用して同等であるデータ．ライトプロシージャによるサブフレームの分離は各サブパネルが受け取る照明の色によって影響されない。【００２１】      ３つのサブパネルが異なった原色によって照らされれば、一組の二色性の反射器（ｄｉｃｈｒｏｉｃ  ｒｅｆｌｅｃｔｏｒ）は１つのフレームに３つのサブパネルのイメージを独自に再調整し、併合するのに使用することができる。１つの例の組み立てはＴｓａｏ米国特許６，９６１，０４５の図１０ａで記述されている（また日本國内特許出願通知２００３／１０７３９９で）。【００２２】      ３つのサブパネルが同じ色によって照らされれば、サブパネルからのプロジェクショソのビームは１つのフレームに空間的に再調整され、次に併合しなければならない。１つの例の組み立てはＴｓａｏ米国特許６，９６１，０４５の図８ｃで記述されている（また日本國内特許出願通知２００３／１０７３９９で）。【００２３】      重ねられた色のサブフレームを形作るために３つのＳＬＭからのサブフレームを結合する２つの好適た��法がある。各ＳＬＭは３つのサブパネルを備えている。第一の方法では、各ＳＬＭの３つのサブパネルはそれぞれ異なった原色の光によって照らされる。図４は重ねられた色のサブフレームを形作るために別のＳＬＭのサブフレームのプロジェクショソ順序を説明する。私逹は各ＳＬＭのサブパネルの排列が図１［Ａ］と同じであることを仮定する。便宜上、Ｄｉｓｃｏｖｅｒｙ１１００のシステムが上か底だけでデータライトの開始を可能にするので、各パネルの操作サイクルはＲサブパネルから始まる。図４で示されているように、組合せのためのＲ−Ｇ−Ｂのサブフレームを並べるために、各パネルの起動時間は１つのサブフレームの持続期間によって相殺される。従ってサブフレームの内容はそれに応じてプログラムされるべきである。【００２４】      第２方法では、各ＳＬＭはそれぞれ別の原色と照らされる。同じＳＬＭのあらゆるサブパネルは同じ原色である。図５は重ねられた色のサブフレームを形作るために別のＳＬＭのサブフレームのプロジェクショソ順序を説明する。一般に、３つのＳＬＭｓはプロジェクショソを合わせることができる。図４の１つのサブフレームのオフセットはここに必要とされない。従ってサブフレームの内容はそれに応じてプログラムされるべきである。【００２５】      上記の２つの方法では、３つＳＬＭｓは１台のプロジェクターで実行することができたりまたは３台の単一ＳＬＭプロジェクターのコレクションである場合もある。【００２６】      図６は異なった原色の３つのサブパネルを持っている単一ＳＬＭが付いている色プロジェクターの例の光学組み立てを説明する。組み立てはＤＭＤシステムを使用する。一般に、これはＴｓａｏ米国特許６，９６１，０４５（また日本國内特許出願通知２００３／１０７３９９で）の図１０ａ−ｃで記述されている例の組み立てに基づいている。とりわけ、ＤＭＤのパネルで、マイクロミラーの回転軸線はパネルの端に関して４５度並ぶ。それに応じて、ＴＩＲ（ｔｏｔａｌ  ｉｎｔｅｒｎａｌｒｅｆｌｅｃｔｉｏｎ総内面反射）プリズムはＤＭＤのパネルの端に関して４５度投影されたイメージの最もよい対比（ｃｏｎｔｒａｓｔ）を得るためにまた方向づけられなければならない。一方では、照明の光学組立は光学開きの３つの別のイメージがＤＭＤの３つのサブパネルに投影することができるように一般にＤＭＤのオリエンテーションに一直線に並ぶ。照明のビームの入射角はわずかな最適照明の効率を得るために偏差が要求する。ランプシステムでは、ランプの光学組立はランプのビームが高効率で開きをカバーする形に形作ることができるように一組の円柱レンズを使用する。【００２７】      図７は３台のプロジェクターのコレクションを使用してシステムを説明する。３台の図６のタイプのプロジェクターは（１５Ａ、１５Ｂおよび１５Ｃ）プロジェクショソのビーム（８０１Ａ、８０１Ｂおよび８０１Ｃ）が固定距離１１で交差することそのような物並ぶ。投影されたサブフレームはそれにより固定距離で重ねられる。このレイアウトは位置１１に移動スクリーンを置くことによって移動スクリーンに基づいて体積３Ｄディスプレイで使用することができる。回転式スクリーンシステムでは、投射経路の長さは一定している常に。回転式往復運動式スクリーンシステム、Ｔｓａｏ米国特許６，３０２，５４２の例えば、図４ｂでは、投射経路の長さは回転式往復運動式の反射器１３００によって一定した保たれる。その結果、投影されたサブフレームは移動スクリーンで常に重ねられる。【００２８】      Ｄｉｓｃｏｖｅｒｙ１１００のシステムでは、データが１列を一度に書かれていなければならないので、サブパネルは図１［Ａ］で示されているように完全なパネルの長い側面に沿う彼らの長側面と、定義されなければならない。その結果、併合されたサブフレームに図８［Ａ］で示されているように非常に高いアスペクトレシオが、ある。これは非好ましい場合もある。【００２９】      解決は併合されたサブフレームを２つの半分に切り、次にアスペクトレシオを変えるために２つの半分を並んでステッチすることである。図８［Ｂ］で示されているように、第一に、併合されたサブフレームのイメージを２つのイメージ９０１ａおよび９０１ｂに裂かれる。２つのイメージはそれから図８［Ｃ］で示されているように新しいステッチされたフレーム（９０１ｂ−Ｒと９０１ａ−Ｌ、例えば）を、形作るために並んで再調整することができる。光學開き９０２がサブフレームの不必要な半分を遮るのに使用されている。一般に、ビームスプリッターがイメージのビームを裂くのに使用し、反射器が２つのイメージのビームを再調整するのに使用することができる。代わりとなる簡単なアプローチは角位置にわずかな相違を用いる並んで置かれる２つの反射器が付いている反射器セットを使用している。図９で説明されるように、併合されたサブフレームのプロジェクショソのビームは反射器の両方ＲａおよびＲｂをカバーする。２つの反射器は異なった方向の方に移動する２つの反射のビームを作成する。固定距離で、２つのイメージは再調整され、サブフレームの２つの半分は並んでステッチされる。この幾何学的な定義をそれに応じて反映するために当然、サブパネルの内容はプログラムされるべきである。【００３０】      この二重反射器セット９５１は回転式往復運動式のスクリーンに基づいて体積３Ｄディスプレイで回転式往復運動式の反射器１３００として直接使用することができる。これは全システムを簡単保つ。それはまた回転スクリーンに基づいて体積３Ｄディスプレイの投射経路に置くことができる。【００３１】      前議論はイラストラティブとして理解され、どうにか限ると考慮されるべきでない。【００３２】      例えば、上で記述されている実施の例はＳＬＭの隔離され、分けられた区域と各サブパネルを定義する。これはＤｉｓｃｏｖｅｒｙ１１００のシステムに書くデータが連続的な列によってされなければならないのである。但しＳＬＭが任意列のライトか任意ワードのライトを可能にすれば、そしてサブパネル他の形態で定義することができる。例えば、データがあらゆる列に任意に書くことができれば、Ｔｓａｏ米国特許６，９６１，０４５（日本特許出願通知２００３／１０７３９９）の図３ｅの形のサブパネルの構造使用することができる。データがあらゆる列にあらゆるワードに任意に書くことができれば、Ｔｓａｏ米国特許６，９６１，０４５（日本特許出願通知２００３／１０７３９９）の図３ｇと同じようなサブパネルの構造は使用することができる。【００３３】      別の例のために、この発明は移動スクリーンとの体積３Ｄディスプレイの使用によって記述されていた。但し、それは移動スクリーンシステムに限られない。この発明は体積３Ｄディスプレイがイメージの源としてＳＬＭが付いているプロジェクターを使用する限り適用する。他の例はＴｓａｏの米国特許６，７６５，５６６（日本特許出願通知２０００／２０１３６２）の図２１および図２２のような二段式刺激原理に基づいてシステムがのシステムを。含まれている。他の例はまたＳｕｌｌｉｖａｎ米国特許６，１００，８６２で記述されているシステムのような積み重ねられた切替可能なスクリーンに、基づいてシステムが含まれている。
【図面の簡単な説明】
【図１】      本発明によってＳＬＭのサブパネルの定義の例を示す。
【図２】      例によってこの発明のプロシージャを説明する：詳しい制御はＤｉｓｃｏｖｅｒｙ１１００ＤＭＤシステムを使用して振る。
【図３】      図２の簡単だったプロシージャを示す。
【図４】      色のサブフレームを発生させるために３つのＳＬＭからのサブフレームを重ねる第１好まれる方法を示す。
【図５】      色のサブフレームを発生させるために３つのＳＬＭからのサブフレームを重ねる第２好まれる方法を示す。
【図６】      イメージの源として単一ＤＭＤシステムを使用してセットアップされる例プロジェクターを示す。
【図７】      本発明の例３つのプロジェクターシステムを示す。
【図８】      本発明の映像のアスペクトレシオを調節する方法を示す。
【図９】      アスペクトレシオの調節のための例の光学レイアウトを示す。
【符号の説明】
１０１          ＳＬＭ
１１            移動スクリーン
１３００        回転式往復運動式の反射器
１５Ａ−Ｃ      プロジェクター
１５０２        反射器
２０３ａ−ｃ    サブフレームの持続期間
３０１          過渡期
８０１Ａ−Ｃ    プロジェクショソのビーム
９５１          二重反射器セット
【図１】
2007188028.tif 000017
【図２】
2007188028.tif 000018
【図３】
2007188028.tif 000019
【図４】
2007188028.tif 000020
【図５】
2007188028.tif 000021
【図６】
2007188028.tif 000022
【図７】
2007188028.tif 000023
【図８】
2007188028.tif 000024
【図９】
2007188028.tif 000025